(57)【特許請求の範囲】
【請求項１】
複数の画像データを記憶する画像記憶手段を有する画像管理装置であって、
画像データを分類する分類情報を複数記憶する分類記憶手段と、
外部装置から画像データを受信した際に、当該画像データに対して画像を分類する分類情報が付加されており、且つその分類情報が前記分類記憶手段に予め記憶されていた複数の分類情報の何れかと一致するか否かを判別する判別手段と、
この判別手段により一致する分類情報ではないと判別された場合には、当該分類情報を前記分類記憶手段における新規の分類情報として追加記憶させる記憶制御手段と、
前記画像記憶手段に記憶された所望する画像データに対して分類情報を付加する際は、前記分類情報記憶手段に記憶された複数の分類情報を表示し、その表示された複数の分類情報の中から所望する分類情報を選択して付加する分類付加手段と、
前記分類記憶手段に記憶された複数の分類情報の内で前記外部装置側に記憶されていない分類情報が存在するか否かを判別する第２判別手段と、
前記外部装置側に記憶されていない分類情報が存在すると判別された場合には、当該分類情報を前記外部装置においても利用可能にするために、当該分類情報を前記外部装置に対して送信する送信手段と、
を具備したことを特徴とする画像管理装置。
【請求項２】
前記第２判別手段は、前記外部装置に対して当該外部装置が記憶している全ての分類情報の送信を要求し、当該外部装置から分類情報の送信があったか否かを判別し、当該外部装置から分類情報の送信があった場合には、その送信されてきた分類情報を前記分類記憶手段に記憶された複数の分類情報と比較することで、前記外部装置に記憶されていない分類情報が存在するか否かを判別する、ようにしたことを特徴とする請求項１記載の画像管理装置。
【請求項３】
前記外部装置に対する分類情報の送信要求に対して、当該外部装置から分類情報の送信がなかった場合には、前記分類記憶手段に記憶された複数の分類情報を当該外部装置においても利用可能とするために、当該複数の分類情報を前記外部装置に対して送信する第２送信手段と、
を特徴とする請求項２記載の画像管理装置。
【請求項４】
複数の画像データを記憶する画像記憶手段を有する画像管理装置のコンピュータを制御するためのプログラムであって、
前記コンピュータを、
画像データを分類する分類情報を複数記憶する分類記憶手段、
外部装置から画像データを受信した際に、当該画像データに対して画像を分類する分類情報が付加されており、且つその分類情報が前記分類記憶手段に予め記憶されていた複数の分類情報の何れかと一致するか否かを判別する判別手段、
この判別手段により一致する分類情報ではないと判別された場合には、当該分類情報を前記分類記憶手段における新規の分類情報として追加記憶させる記憶制御手段、
前記画像記憶手段に記憶された所望する画像データに対して分類情報を付加する際は、前記分類情報記憶手段に記憶された複数の分類情報を表示し、その表示された複数の分類情報の中から所望する分類情報を選択して付加する分類付加手段、
前記分類記憶手段に記憶された複数の分類情報の内で前記外部装置側に記憶されていない分類情報が存在するか否かを判別する第２判別手段、
前記外部装置側に記憶されていない分類情報が存在すると判別された場合には、当該分類情報を前記外部装置においても利用可能にするために、当該分類情報を前記外部装置に対して送信する送信手段、
として機能させるようにしたコンピュータ読み取り可能なプログラム。
【発明の詳細な説明】
【技術分野】
【０００１】
この発明は、複数の画像データを記憶する画像記憶手段を有する画像管理装置及びプログラムに関する。
【背景技術】
【０００２】
一般に、外部供給された撮影画像（(静止画あるいは動画)）を収集保管する電子アルバム装置にあっては、外部接続されたデジタルカメラから直接的に収集したり、その記録メディアを介して間接的に収集した多数の撮影画像を分類別に保管するようにしているが、撮影目的、撮影対象(被写体)、撮影場所などが様々であり、それに応じて名付けられた分類名も多種多様となって次第に分類数が増加するようになる。このような場合、従来では、画像データに付与されたタグ情報に基づいて画像を分類整理する場合、各画像を階層的に分類整理するようにした画像整理装置が知られている（特許文献１参照）。
【特許文献１】特開２００４−１１８５７３号公報
【発明の開示】
【発明が解決しようとする課題】
【０００３】
このように各画像を階層的に分類整理するようにすれば、分類数が多くなったとしても、全体として体系的な管理が可能となるが、例えば、分類体系が複雑過ぎると、どの分類名に該当するかを確認するために、分類リストの内容を表示出力させて分類体系を理解しなければならず、撮影現場などの外出先で分類名を決定して付加することは極めて困難な作業となると共に、間違えも多くなるなどの問題が起きる。
【０００４】
この発明の課題は、分類体系が複雑であっても、撮影現場などの外出先でも分類体系に合った分類名を容易に付加できるようにすることである。
【課題を解決するための手段】
【０００５】
請求項１記載の発明は、複数の画像データを記憶する画像記憶手段を有する画像管理装置であって、画像データを分類する分類情報を複数記憶する分類記憶手段と、外部装置から画像データを受信した際に、当該画像データに対して画像を分類する分類情報が付加されており、且つその分類情報が前記分類記憶手段に予め記憶されていた複数の分類情報の何れかと一致するか否かを判別する判別手段と、この判別手段により一致する分類情報ではないと判別された場合には、当該分類情報を前記分類記憶手段における新規の分類情報として追加記憶させる記憶制御手段と、前記画像記憶手段に記憶された所望する画像データに対して分類情報を付加する際は、前記分類情報記憶手段に記憶された複数の分類情報を表示し、その表示された複数の分類情報の中から所望する分類情報を選択して付加する分類付加手段と、前記分類記憶手段に記憶された複数の分類情報の内で前記外部装置側に記憶されていない分類情報が存在するか否かを判別する第２判別手段と、前記外部装置側に記憶されていない分類情報が存在すると判別された場合には、当該分類情報を前記外部装置においても利用可能にするために、当該分類情報を前記外部装置に対して送信する送信手段と、を具備したことを特徴とする。
【発明の効果】
【００１１】
本発明によれば、分類体系が複雑であっても、撮影現場などの外出先で分類体系に合った分類名を容易に付加することができる。
【発明を実施するための最良の形態】
【００１７】
以下、図１〜図８を参照して本発明の実施例を説明する。
この実施例は、複数の画像データを収集保管する画像管理装置として電子アルバム装置に適用した場合を例示したもので、図１は、この電子アルバム装置１の全体外観図である。電子アルバム装置１は、外部から供給された各種の画像データ（静止画、動画を問わない）を収集保管するもので、その各構成要素は物理的にコントロール装置１Ａ、表示装置１Ｂ、入力装置１Ｃの３つの筐体に分離されている。コントロール装置１Ａは、この電子アルバム装置１の全体動作を制御するもので、このコントロール装置１Ａにはケーブルを介して表示装置１Ｂが接続されていると共に、画像撮影装置（デジタルカメラ）４がケーブルを介して接続可能となっている。
【００１８】
表示装置１Ｂは、コントロール装置１Ａから送信されてきた画像データを高品位に表示可能な液晶表示装置あるいはプラズマ表示装置などである。入力装置１Ｃは、遠隔操作を行うリモートコントローラと呼ばれるハンディタイプのキー入力装置であり、コントロール装置１との間で赤外線通信を行うことによって各種のコマンドあるいはデータを入力する。コントロール装置１Ａは、画像データを分類するための分類情報を記憶管理しており、ケーブル接続されている画像撮影装置４から撮影画像を受信取得して収集保存する際に、上述の分類情報を撮影画像分類用の情報として画像撮影装置４に送信出力するようにしている。画像撮影装置４は、静止画撮影のほかに動画撮影も可能なデジタルスチルカメラ（コンパクトカメラ）である。なお、画像撮影装置４は、静止画撮影が可能なデジタルビデオカメラであってもよい。
【００１９】
図２は、電子アルバム装置１の基本的な構成要素を示したブロック図である。
ＣＰＵ１１は、内部記憶部１２内の各種プログラムに応じてこの電子アルバム装置１の全体動作を制御する中央演算処理装置である。内部記憶部１２は、プログラム領域及びデータ領域を有する内蔵ハードディスク(ＨＤＤ)、大容量フラッシュメモリなどである。この内部記憶部１２内のプログラム領域には、後述する図４〜図６に示す動作手順に応じて本実施例を実現するためのプログラムが格納され、また、そのデータ領域には、撮影画像データ（画像ファイル）を保管する画像フォルダＭ１、各画像データを分類する情報（分類名：テキストデータ）を記憶管理する分類メモリＭ２などが設けられている。内部記憶部１２内のプログラム、データは、必要に応じてＲＡＭ（例えば、スタティックＲＡＭ）１３にロードされたり、このＲＡＭ１３内のデータが内部記憶部１２にセーブされる。なお、ＲＡＭ１３は、プログラム実行領域と作業領域とを有している。
【００２０】
このＣＰＵ１１には、その入出力周辺デバイスである表示装置１Ｂ、入力装置１Ｃのほか、接続ケーブル及びコネクタ部１４を介して画像撮影装置４が接続可能であると共に、カードドライブ１５を介してメモリカード１６、また、ＣＤ(Compact Disc)／ＤＶＤ(Digital Video Disc)ドライブ１７を介して可搬型の外部記録メディアであるＣＤ／ＤＶＤ１８が接続可能となっている。メモリカード１６は、ＳＤカード、メモリステイクなどであり、画像撮影装置４で撮影された画像データを電子アルバム装置１に外部供給するための画像記録メディアである。ＣＤ／ＤＶＤ１８は、メモリカード１６から読み出された撮影画像データを記録保存するための可搬型の画像記録メディアであり、比較的大容量の画像データを記録可能なものである。なお、赤外線通信部１９は、入力装置１Ｃとの間で赤外線通信を行う。
【００２１】
図３は、画像撮影装置４の基本的な構成要素を示したブロック図である。
ＣＰＵ４１は、記憶部４２内の各種のプログラムに応じてこの画像撮影装置４の全体動作を制御するもので、記憶部４２内のプログラム記憶領域には、後述する図７に示す動作手順で本実施例の動作を実現するためのプログラムなどが格納され、また、そのデータ領域には、撮影画像データ（画像ファイル）を保管する画像フォルダｍ１、各画像データを分類するための分類情報（分類名：テキストデータ）を記憶管理する分類メモリｍ２などが設けられている。このＣＰＵ４１には、撮像部４３、表示部４４、入力部４５、メモリカードＩ／Ｆ４６、コネクタ部４７などがバスラインを介して接続されている。
【００２２】
記憶部４２のデータ記憶領域には、電子アルバム装置１のコントロール装置１Ａから受信取得した分類情報（分類名）を記憶管理するための分類メモリｍ２が設けられている。撮像部４３は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。メモリカードＩ／Ｆ４６は、ＳＤカード、メモリステイクなどのメモリカードがセットされるもので、記録保存されている各画像データはメモリカードに書き込まれる。コネクタ部４７は電子アルバム装置１がケーブル接続されるもので、記録保存されている各画像データは当該コネクタ部４７を介して電子アルバム装置１に送信出力される。
【００２３】
次ぎに、この実施例における電子アルバム装置１及び画像撮影装置４の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２４】
図４〜図６は、電源投入に応じて実行開始される電子アルバム装置１の全体動作の概要を示したフローチャートである。
先ず、電子アルバム装置１のコントロール装置１Ａは、電源投入に伴ってメニュー画面を表示出力させると共に（ステップＡ１）、このメニュー画面に隣接して分類メモリＭ２の内容をリスト表示させる（ステップＡ２）。
図８は、このメニュー画面とそれに隣接している分類リスト画面を例示した図である。このメニュー画面は、分類情報に関するメニュー項目として、「（１）分類別画像表示」、「（２）画像分類名付与」、「（３）分類名追加」、「（４）分類名編集」を一覧表示するもので、このメニュー表示域の隣接する領域は、分類リスト表示域となっている。この分類リスト表示域には予め任意に入力作成された各種の分類名が分類メモリＭ２から読み出されて一覧表示される。
【００２５】
ここで、分類名は、例えば、「旅行」、「趣味」、「遠足」、「風景」、「運動会」などの文字列データであり、ユーザが任意に入力作成されたり、予めデフォルトデータとして用意されているもので、分類メモリＭ２には、任意に入力作成された分類名、デフォルトデータとして用意されている分類名が記憶管理されている。なお、分類名を階層構造で記憶管理するようにしてもよく、例えば、大分類（最上位階層）の項目名（分類名）がリスト表示されている状態において、この最上位の分類名の中から何れか一つが選択指定されると、それに属する下位階層の分類名が読み出されてリスト表示されるようにしてもよい。
【００２６】
電子アルバム装置１は、メニュー画面の中から任意のメニュー項目が選択指定されると（ステップＡ３でＹＥＳ）、この選択項目は、「（１）分類別画像表示」であるかを調べ（ステップＡ５）、「（１）分類別画像表示」であれば、画像フォルダＭ１内の画像データを分類別に表示出力させる。すなわち、先ず、上述の分類リスト表示域から任意の分類名（分類情報）が選択指定されると（ステップＡ６）、この分類名が付加されている各画像データを画像フォルダＭ１から読み出し（ステップＡ７）、この画像データを一覧表示させる（ステップＡ８）。この場合、メニュー画面から画像一覧画面に切り替えられるが、分類リスト表示域はそのまま表示されている。この状態において分類リスト表示域の中から任意の分類名が選択指定されるごとに（ステップＡ９でＹＥＳ）、ステップＡ６に戻り、以下、ユーザから終了指示を受けるまで（ステップＡ１０）、上述の動作が繰り返される（ステップＡ６〜Ａ１０）。
【００２７】
また、メニュー画面内から「（２）画像分類名付与」のメニュー項目が選択指定された場合には（ステップＡ１１でＹＥＳ）、画像フォルダＭ１に記憶管理されている各画像データのうち、分類名が付加されていない画像データを読み出して一覧表示させる（ステップＡ１２）。この一覧画面の中から分類名を付与する対象となる画像が任意に選択指定されると共に（ステップＡ１３）、分類リスト表示域の中から任意の分類名が選択指定されると（ステップＡ１４）、この付与対象の画像データに当該分類名を付加すると共に、この分類名付きの画像データを画像フォルダＭ１に格納する（ステップＡ１５）。以下、ユーザから終了指示を受けるまで（ステップＡ１６）、上述の動作が繰り返される（ステップＡ１２〜Ａ１６）。
【００２８】
また、メニュー画面内から「（３）分類名追加」のメニュー項目が選択指定された場合に（図５のステップＡ１７でＹＥＳ）、新規追加する任意の分類名が入力作成されると（ステップＡ１８）、この新たな分類名を分類メモリＭ２に追加登録する（ステップＡ１９）。以下、ユーザから終了指示を受けるまで（ステップＡ２０）、上述の動作が繰り返される（ステップＡ１８〜Ａ２０）。また、メニュー画面内から「（４）分類名編集」のメニュー項目が選択指定された場合に（ステップＡ１７でＮＯ）、分類メモリＭ２から編集対象の分類名が選択指定されると（ステップＡ２１）、この分類名が付加されている画像データを編集対象の画像として画像フォルダＭ１から読み出す（ステップＡ２２）。
【００２９】
電子アルバム装置１は、分類名の編集は“変更”であるか否かを調べ（ステップＡ２３）、“変更”であれば、分類名の変更処理が行われる。すなわち、変更後の分類名が入力作成されると（ステップＡ２４）、分類メモリＭ２内の編集対象の分類名を変更後の分類名に書き換えると共に（ステップＡ２５）、編集対象の画像データに付加されていた分類名を変更後の分類名に置き換える（ステップＡ２６）。一方、分類名の編集が“削除”であれば（ステップＡ２３でＮＯ）、編集対象の画像データに付加されていた分類名を削除すると共に（ステップＡ２７）、分類メモリＭ２内の編集対象の分類名を削除する（ステップＡ２８）。
【００３０】
他方、電子アルバム装置１は、画像撮影装置４が外部接続されたカメラ装着時に（図４のステップＡ４でＹＥＳ）、図６のフローに移り、画像撮影装置４に対して画像データの送信要求を行うと共に（ステップＡ２９）、これに応答して画像撮影装置４から送信されてきた全ての画像データを受信すると（ステップＡ３０）、受信した各画像データを画像フォルダＭ１に順次格納する（ステップＡ３１）。このような画像データの収集保存時に、電子アルバム装置１は、画像撮影装置４に分類情報を送信出力する処理を併せて実行する。言い換えれば、画像データを収集するために画像撮影装置４が接続されときを利用して分類情報を画像撮影装置４に送信する処理を実行するようにしている。
【００３１】
先ず、電子アルバム装置１は、この画像データの中から分類名が付加されている画像データが有るか否かをチェックし（ステップＡ３２）、分類名付加の画像データが無ければ、後述するステップＡ３７に移るが、分類名付加の画像データが有れば、この画像データから分類名を読み出し（ステップＡ３３）、分類メモリＭ２の内容と比較し（ステップＡ３４）、分類メモリＭ２に登録されていない未登録の分類名であるか否かをチェックする（ステップＡ３５）。この結果、既に分類メモリＭ２に登録されている分類名であれば、ステップＡ３７に移るが、未登録の分類名であれば、この分類名を分類メモリＭ２に新規登録したのちに（ステップＡ３６）、次ぎのステップＡ３７に移る。
【００３２】
このステップＡ３７では、画像撮影装置４に分類名を送信して登録するか否かをユーザに問い合わせるための確認メッセージを表示出力するもので、この問い合わせに対して、否定応答（ＮＯ指示）を受けた場合には（ステップＡ３８でＮＯ）、最初のステップＡ１に戻るが、肯定応答（ＹＥＳ指示）を受けた場合には（ステップＡ３８でＹＥＳ）、画像撮影装置４側に登録されている分類名を送信すべきことを要求する分類名の送信要求を行う（ステップＡ３９）。そして、この送信要求に応答して画像撮影装置４から登録済みの分類名が送信されてきたか否かをチェックし（ステップＡ４０）、登録済みの分類名が送信されて来なければ（ステップＡ４０でＮＯ）、画像撮影装置４には分類名が１つも登録されていない場合であると判断し、分類メモリＭ２内の全ての分類名を順次読み出して（ステップＡ４６）、画像撮影装置４に対して送信出力する（ステップＡ４５）。
【００３３】
電子アルバム装置１は、画像撮影装置４から登録済みの分類名が送信されてきた場合に（ステップＡ４０でＹＥＳ）、この全ての登録済み分類名を受信取得すると共に（ステップＡ４１）、分類メモリＭ２の内容と比較し（ステップＡ４２）、分類メモリＭ２には登録されているが、受信した分類名の中には含まれていない分類名、つまり、電子アルバム装置１側の分類メモリＭ２には登録されているが、画像撮影装置４側の分類メモリｍ２には登録されていない未登録の分類名（不足分類情報）が有るか否かをチェックする（ステップＡ４３）。ここで、不足分類情報が無ければ、最初のステップＡ１に戻るが、不足分類情報が一つでも有れば（ステップＡ４３でＹＥＳ）、電子アルバム装置１の分類メモリＭ２から不足分類情報「分類名」を読み出して（ステップＡ４４）、画像撮影装置４に対して送信出力する（ステップＡ４５）。
【００３４】
図７は、画像撮影装置４側において再生モードにセットされているときの動作を示したフローチャートである。
先ず、画像撮影装置４は、記録保存されている画像の再生がユーザ指示された際に、これに応答して画像フォルダｍ１から画像データを読み出して再生表示させる（ステップＢ１）。この状態でユーザから次画像の読み出し指示を受けた場合には（ステップＢ２）、次ぎの記録画像に切り替え表示させる（ステップＢ３）。以下、次画像の読み出し指示を受けるごとに、次画像に順次切り替え表示される（ステップＢ２、Ｂ３）。
【００３５】
このようにして任意の画像が再生表示されている状態において、この画像に分類名が付加されていない場合あるいは分類名が付加されていてもその内容を変更する場合、ユーザは分類名の入力を指示する。この入力指示を検出すると（ステップＢ４でＹＥＳ）、ユーザからの指示内容に基づいて分類リストから分類名を選択するのか（ステップＢ５）、任意の分類名を入力して新規作成するのかを判別する（ステップＢ６）。いま、新規入力が指示された場合には、分類名の入力作成を受け付けると共に（ステップＢ７）、入力作成された分類名を現在読み出し中（再生表示中）の画像データに付加すると共に（ステップＢ８）、画像撮影装置４側の分類メモリｍ２に追加登録する（ステップＢ９）。
【００３６】
画像撮影装置４は、分類リストからの選択が指示された場合に（ステップＢ５でＹＥＳ）、自己の分類メモリｍ２に登録されている分類名を全て読み出してリスト表示させると共に（ステップＢ１０）、この分類リスト画面の中から任意の分類名が選択指定された際に（ステップＢ１１）、この選択指定された分類名を現在読み出し中（再生表示中）の画像データに分類情報として付加する（ステップＢ１２）。
【００３７】
画像撮影装置４は、電子アルバム装置１が外部接続されたことを検出すると（ステップＢ１３でＹＥＳ）、電子アルバム装置１から画像データの送信要求が有ったか否かをチェックし（ステップＢ１４）、画像要求が有れば、これに応答して画像フォルダｍ１から全ての画像データを読み出して電子アルバム装置１に送信する（ステップＢ１５）。その後、電子アルバム装置１から分類情報の送信要求を受け取ると（ステップＢ１６でＹＥＳ）、分類メモリｍ２に登録されている全ての登録済み分類名を読み出して電子アルバム装置１に送信する（ステップＢ１７）。
【００３８】
電子アルバム装置１側では上述したように画像撮影装置４から登録済み分類名を受信すると、電子アルバム装置１側の分類メモリＭ２の内容と比較し、電子アルバム装置１側には登録されているが、画像撮影装置４側には登録されていない未登録の「分類名」を画像撮影装置４に送信するようにしているため、画像撮影装置４では、電子アルバム装置１からの「分類名」を受信すると（ステップＢ１８）、この受信した分類名を画像撮影装置４側の分類メモリｍ２に追加登録する（ステップＢ１９）。なお、このような再生モードからモード切り替えが指示されたときには（ステップＢ２０でＹＥＳ）、撮影モードに切り替えられて撮影モードに応じた処理に移る。
【００３９】
以上のように、この実施例において電子アルバム装置１は、画像データを分類するための分類名を分類メモリＭ２に記憶管理している状態において、外部接続された画像撮影装置４から画像データを受信取得して画像フォルダＭ１に収集保存する場合に、分類メモリＭ２に記憶管理されている分類名を撮影画像分類用の情報として画像撮影装置４に送信出力するようにしたから、画像撮影装置４側の分類メモリｍ２にも同一の分類名を記憶管理することができ、分類名の共有化が可能となると共に、分類体系が複雑であっても、撮影現場などの外出先で分類体系に合った分類名を付加することができる。この場合、分類名を送信するためだけに画像撮影装置４を特別に接続する必要はなく、画像撮影装置４から画像データを収集保存するときを利用して電子アルバム装置１側の分類名を画像撮影装置４側に送信することができる。
【００４０】
電子アルバム装置１は、任意の分類名が新規作成された場合に、この新たな分類名を分類メモリＭ２に新規登録すると共に、任意に選択指定された画像データに分類情報として付加するようにしたから、分類名が新規作成されても、画像撮影装置４側の分類名と整合させることが可能となる。また、既存の分類名が編集された場合に、この分類名を編集後の分類名に書き換えることによって分類メモリＭ２の内容を変更すると共に、画像データに付加されている当該分類名を編集後の分類名に書き換えるようにしたから、既存の分類名の一部が変更されたり、削除された場合でも、画像撮影装置４側の分類名と整合させることが可能となる。
【００４１】
電子アルバム装置１は、外部接続された画像撮影装置４から画像データを取得した際に、この画像データに分類名が付加されている場合には、この分類名が登録されているか否かを判別し、未登録の分類名であれば、分類メモリＭ２に新規登録するようにしたから、画像撮影装置４側で分類名が新規作成されたような場合でも、電子アルバム装置１と画像撮影装置４との間での分類名の整合が可能となる。
【００４２】
電子アルバム装置１は、画像撮影装置４に分類名を送信出力するに先立って、画像撮影装置４側の分類メモリｍ２に登録されている登録済みの分類名を取得すると共に、この分類名に基づいて自己の分類メモリＭ２を検索した結果、画像撮影装置４側には登録されていない未登録の分類名（不足分類情報）が存在していれば、この不足の分類名を読み出して画像撮影装置４に送信出力するようにしたから、不足の分類名の送信で足り、効率の良い送信が可能となる。また、画像撮影装置４に分類名を送信出力するに先立って、分類名を送信するか否かをユーザに問い合わせる確認メッセージを出力し、これに応答して送信指示を受けた際に、分類名の送信を開始するようにしたから、ユーザの意向を尊重することができる。
【００４３】
なお、上述した実施例においては、電子アルバム装置１と画像撮影装置４とをケーブルによって直接接続するようにしたが、赤外線通信あるいはBluetooth通信などの近距離通信を介して電子アルバム装置１と画像撮影装置４とを接続するようにしてもよい。また、電子アルバム装置１と画像撮影装置４にそれぞれ通信機能を設けることによってインターネットなどの広域通信網を介してデータの送受信を行うようにしてもよい。
【００４４】
電子アルバム装置１は、画像撮影装置４に対して分類名を送信登録する場合において、可搬型の外部記録メディアであるメモリカード１６を介して画像撮影装置４に分類名を外部供給することによって登録するようにしてもよい。
上述した実施例においては、電子アルバム装置１あるいは画像撮影装置４側で、画像データに分類名を付加する際に、分類名を新規入力したり、分類リストの中から任意の分類名を選択指定するようにしたが、画像データに付加されているタイトル名、例えば、「○○男の運動会」の中に分類名「運動会」が含まれている場合には、この分類名を抽出して当該画像データに自動付加するようにしてもよい。
【００４５】
上述した実施例においては、画像データに分類名（テキストデータ）を付加するようにしたが、分類番号などの分類コードを付加するようにしてもよい。この場合、分類コードを分類名に変換する分類テーブルを用意し、この分類テーブルを電子アルバム装置１から画像撮影装置４に送信しておいてもよい。
その他、上述した実施例においては、電子アルバム装置１をコントロール装置１Ａ、表示装置１Ｂ、入力装置１Ｃの３つの筐体に分離したが、１つの筐体内に組み込むようにしてもよい。また、電子アルバム機能を備えたパーソナルコンピュータなどにも同様に適用してもよい。
【図面の簡単な説明】
【００４６】
【図１】複数の画像データを収集保管する画像管理装置として適用した電子アルバム装置１の全体外観図。
【図２】電子アルバム装置１の基本的な構成要素を示したブロック図。
【図３】画像撮影装置４の基本的な構成要素を示したブロック図。
【図４】電源投入に応じて実行開始される電子アルバム装置１の全体動作の概要を示したフローチャート。
【図５】図４に続く、フローチャート。
【図６】図４に続く、フローチャート。
【図７】画像撮影装置４側において再生モードにセットされているときの動作を示したフローチャート。
【図８】メニュー画面とそれに隣接する分類リスト画面を例示した図。
【符号の説明】
【００４７】
１  電子アルバム装置
１Ａ  コントロール装置
１Ｂ  表示装置
１Ｃ  入力装置
４  画像撮影装置
１１、４１  ＣＰＵ
１２、４２  記憶部
１４、４７  コネクタ部
１６  メモリカード
４３  撮像部
Ｍ１、ｍ１  画像フォルダ
Ｍ２、ｍ２  分類メモリ
【図１】
0004765518.tif 000002
【図２】
0004765518.tif 000003
【図３】
0004765518.tif 000004
【図４】
0004765518.tif 000005
【図５】
0004765518.tif 000006
【図６】
0004765518.tif 000007
【図７】
0004765518.tif 000008
【図８】
0004765518.tif 000009